(57)【要約】【課題】車等に装備することを想定した、備蓄品を収容し、浮輪として使用可能な浮輪型救命ボックスを提供する。【解決手段】本発明の浮輪型救命ボックスは、備蓄品を収容し保管するためのボックスであって、前記備蓄品を収容する本体、ヒンジによって前記本体に開閉可能に係合された蓋、および前記蓋を前記本体に固定するロック手段を備え、前記本体および前記蓋の中央には上下に貫通する貫通孔がそれぞれ形成され、前記備蓄品を収容する空間は、前記貫通孔を取り囲むように前記本体に形成され、前記蓋と前記本体のいずれかには、互いに当接する箇所に防水密閉パッキンが設けられ、さらに前記空間を減圧する減圧弁が設けられている。【選択図】  図１
2013169962.tif 000002
【特許請求の範囲】
【請求項１】
備蓄品を収容し保管するためのボックスであって、前記備蓄品を収容する本体、ヒンジによって前記本体に開閉可能に係合された蓋、および前記蓋を前記本体に固定するロック手段を備え、
前記本体および前記蓋の中央には上下に貫通する貫通孔がそれぞれ形成され、前記備蓄品を収容する空間は、前記貫通孔を取り囲むように前記本体に形成され、
前記蓋と前記本体のいずれかには、互いに当接する箇所に防水密閉パッキンが設けられ、さらに前記空間を減圧する減圧弁が設けられていることを特徴とする浮輪型救命ボックス。
【請求項２】
提げ手となるリングロープが、前記本体を取り囲むように、前記本体の外周に取り付けられていることを特徴とする請求項１に記載の浮輪型救命ボックス。
【請求項３】
前記備蓄品がアルミの袋によって真空パックされて前記空間に収容されていることを特徴とする請求項１または２に記載の浮輪型救命ボックス。
【請求項４】
前記備蓄品として、災害時に必要な日用品、怪我の応急処置に必要な医療品、および人命救助に必要な物品から選択されたものが収容されることを特徴とする請求項１〜３のいずれか１項に記載の浮輪型救命ボックス。
【請求項５】
前記本体および前記蓋の平面形状が円形または矩形で、中央に前記貫通孔が形成されていることを特徴とする請求項１〜４のいずれか１項に記載の浮輪型救命ボックス。
【請求項６】
自動車に備え付けられることを特徴とする請求項１〜５のいずれか１項に記載の浮輪型救命ボックス。
【発明の詳細な説明】
【技術分野】
【０００１】
本発明は、地震等の災害、あるいは車等の事故の際に使用する備蓄品を保管するためのボックスに関し、特に浮輪としても使用することが可能な浮輪型救命ボックスに関する。
【背景技術】
【０００２】
地震等の災害に備えて備蓄品を自治体等が倉庫に備蓄したり、各家庭で備蓄品を保管しておくことが一般に普及している。自治体等では倉庫に備蓄品を保管し、各家庭では備蓄品を持ち出し用の袋等に入れて保管している。備蓄品を保管する方法の一例として、オフィス等で使用することを目的とした備蓄品ボックス（特許文献１参照）がある。
【先行技術文献】
【特許文献】
【０００３】
【特許文献１】特開２０１０−６４０１号公報
【発明の概要】
【発明が解決しようとする課題】
【０００４】
しかしながら、自治体等で確保している備蓄品については、予算や保管場所の確保等、様々な問題があり、十分な量が確保されているとは言えない。また、各家庭に保管している備蓄品についても全ての家庭に十分に確保されているとは言えない。
【０００５】
さらに、備蓄品の保管状況によっては災害時に保管場所の倒壊、あるいは備蓄品を収容している箱等の破損によって、必要な時に使用できない状態となっている場合もある。車等で移動の際に被災した場合に、備蓄品を早急に入手することが出来ないという問題もある。
【０００６】
そこで、本発明は前記問題を解決するために、車等に装備することを目的とし、さらに浮輪として使用可能な、備蓄品を収容し保管するための浮輪型救命ボックスを提供することを目的とする。
【課題を解決するための手段】
【０００７】
本発明の浮輪型救命ボックスは、備蓄品を収容し保管するためのボックスであって、前記備蓄品を収容する本体、ヒンジによって前記本体に開閉可能に係合された蓋、および前記蓋を前記本体に固定するロック手段を備え、前記本体および前記蓋の中央には上下に貫通する貫通孔がそれぞれ形成され、前記備蓄品を収容する空間は、前記貫通孔を取り囲むように前記本体に形成され、前記蓋と前記本体のいずれかには、互いに当接する箇所に防水密閉パッキンが設けられ、さらに前記空間を減圧する減圧弁が設けられていることを特徴とする。
【０００８】
さらに、本発明の浮輪型救命ボックスは、提げ手となるリングロープが、前記本体を取り囲むように、前記本体の外周に取り付けられており、前記備蓄品がアルミの袋によって真空パックされて前記空間に収容されている。
【０００９】
前記備蓄品として、災害時に必要な日用品、怪我の応急処置に必要な医療品、および人命救助に必要な物品から選択されたものが収容され、前記本体および前記蓋の平面形状が円形または矩形で、中央に前記貫通孔が形成されている。そして、本発明の浮輪型救命ボックスは自動車に装備される。
【発明の効果】
【００１０】
本発明の浮輪型救命ボックスは、備蓄品を収容し保管するためのボックスであって、前記備蓄品を収容する本体、ヒンジによって前記本体に開閉可能に係合された蓋、および前記蓋を前記本体に固定するロック手段を備え、前記本体および前記蓋の中央には上下に貫通する貫通孔がそれぞれ形成され、前記備蓄品を収容する空間は、前記貫通孔を取り囲むように前記本体に形成され、前記蓋と前記本体のいずれかには、互いに当接する箇所に防水密閉パッキンが設けられ、さらに前記空間を減圧する減圧弁が設けられていることにより、防水性に優れ、長期間に亘って備蓄品を収容することができ、さらに、浮輪として機能することによって水難事故等の際に救命道具としても使用することができる。
【００１１】
さらに、本発明の浮輪型救命ボックスは、提げ手となるリングロープが、前記本体を取り囲むように、前記本体の外周に取り付けられており、持ち運びにも便利であり、前記備蓄品がアルミの袋によって真空パックされて前記空間に収容されていることにより、備蓄品の長期保存が可能となる。
【００１２】
前記備蓄品として、災害時に必要な日用品、怪我の応急処置に必要な医療品、および人命救助に必要な物品から選択されたものが収容され、自動車に装備されることにより、備蓄品の保管箇所を自動車に確保することができ、さらに、自動車事故にも対応することが可能となる。
【図面の簡単な説明】
【００１３】
【図１】本発明の浮輪型救命ボックスを閉じた状態の斜視図である。
【図２】本発明の浮輪型救命ボックスを開いた状態の斜視図である。
【図３】本発明の浮輪型救命ボックスに備蓄品を収容した状態の斜視図である。
【発明を実施するための形態】
【００１４】
本発明を、図を用いて以下に詳細に説明する。図１，２が本発明の浮輪型救命ボックス１の斜視図、図３が浮輪型救命ボックスに備蓄品を収容した状態を示す斜視図である。
【００１５】
本発明の浮輪型救命ボックス１は、備蓄品を収容し保管するためのボックスであり、主に自動車に装備することを想定としたものである。図１，２に示すように、本発明の浮輪型救命ボックス１は、前記備蓄品を収容する本体２と、ヒンジ４によって前記本体２に開閉可能に係合された蓋３を備え、前記本体２および前記蓋３の中央を上下に貫通する貫通孔８が形成されたドーナツ型のボックスである。
【００１６】
前記本体２はリング状の底面、円筒形状の内周面および外周面を有する形状であり、前記備蓄品を収容するために、前記本体２には、前記底面、前記内周面及び外周面によって前記貫通孔８を取り囲むように環状の空間９が形成されており、前記備蓄品はアルミの袋１４に真空パックされた状態で前記空間９に収容されている。前記蓋３も前記本体２と同様の形状であり、リング状の頂面、円筒形状の内周面および外周面を有する。
【００１７】
前記本体２と前記蓋３が互いに当接する部分にはそれぞれ環状のリブ１０，１１を設けることにより当接面を広くしている。前記リブ１０，１１は、前記本体２と前記蓋３の外周部分および前記貫通孔８の周囲となる内周部分の両方に設けられ、前記蓋３の外周および内周のリブ１１は、前記リブ１０と当接する面にリング状の防水密閉パッキン６がそれぞれ設けられている。
【００１８】
前記蓋３には前記空間９内部を減圧するための減圧弁７を設けている。前記防水密閉パッキン６によって、前記本体２と前記蓋３とが当接する部分を密着させ、前記空間９を密閉して水が浸入するのを防止し、さらに、前記減圧弁７によって前記空間９内部を減圧することにより、前記浮輪型救命ボックス１の密閉性を高めることが可能となる。
【００１９】
さらに、前記蓋３を閉じた時に前記蓋３を前記本体２に固定するために、前記本体２の外周のリブ１０に２つのロック手段５を設ける。本実施形態では、前記ロック手段５は前記蓋３のリブ１１に爪を引っ掛けて固定する構造を用いている。前記ロック手段５の構造および個数は特に限定するものではなく、前記蓋３を前記本体２に強固に固定できる構造であればよい。
【００２０】
前記本体２の前記リブ１０の外周面に、リングロープ１２を取り付けるための固定具１３を設ける。前記固定具１３は前記リングロープ１２が通される円筒形の部分が土台によって前記本体２の側面に配置されており、前記リングロープ１２は前記固定具１３によって前記本体２の外周面を取り囲むように配置されて固定されており、前記浮輪型救命ボックス１を持ち運ぶ際の提げ手として使用できる。
【００２１】
前記浮輪型救命ボックス１は、ポリカーボネートで形成することによって、耐衝撃性・耐熱性・難燃性に優れたものとすることができ、事故や災害に遭った場合にも、破損することなく備蓄品を確保することが可能となり、備蓄品を安全・確実に長期間保管するのに適したものとすることができる。同様の条件を満たすものであれば、ポリカーボネート以外の材質を使用することも可能である。
【００２２】
前記浮輪型救命ボックス１は、密閉性を高めて外部からの水の浸入を防止するだけでなく気密性を持たせることで前記空間９の内部の空気が外に漏れるのを防止し、そして浮輪型の形状を用いることにより、備蓄品を収容し保管するためのボックスとしての機能だけでなく、災害や事故の際に使用する浮輪としての機能を有するものとなる。これにより、水難事故等の際に人命救助のための浮輪として使用することができる。そして備蓄品としてロープを収容しておくことにより、前記浮輪型救命ボックス１を浮輪として使用する際に、前記リングロープ１２にロープを結束することで、水難救助にも効果的に使用することができる。
【００２３】
次に、前記浮輪型救命ボックス１に収容する備蓄品について説明する。前記備蓄品としては、災害時に避難所等で早急に必要な、歯ブラシ、石鹸、タオル等の日用品、事故や災害で怪我をした時の応急処置に必要な、三角巾、包帯、ガーゼ、消毒液、常備薬等の医療品、および、水難事故や滑落などで人命救助に必要な、浮輪、ロープ等の物品から必要なものを選択して収容することができる。
【００２４】
そして、選択した備蓄品はアルミの袋１４に真空パックした上で前記浮輪型救命ボックス１の空間９に収容するが、その際に、１つのアルミの袋１４に全ての備蓄品を入れること、あるいは、複数のアルミの袋１４に前記備蓄品を分けて入れることも可能である。例えば、図３に示すように、３つのアルミの袋１４に備蓄品を分けて収容してもよい。この場合、３つのアルミの袋１４を、災害時に避難所等で早急に必要な日用品、事故や災害で怪我をした時の応急処置に必要な医療品、人命救助に必要な物品の３種類に分けて収容すると、実際に使用する際に、必要な備蓄品が入ったアルミの袋１４だけを開封すればすぐに使用可能となり、不要な備蓄品は保管状態が保たれる。また、ロープ等は前記アルミの袋１４に入れずにそのまま前記空間９に収容することも可能であり、特にロープの場合はリング状に巻いた状態にすれば前記空間９に収容し易くなる。
【００２５】
このようにして、必要な備蓄品を収容した浮輪型救命ボックス１の利用方法について説明する。本発明の浮輪型救命ボックス１は車に装備することを想定している。前記浮輪型救命ボックス１を車に装備するためにはスペースが必要となるが、図１に示すように前記浮輪型救命ボックス１をドーナツ形状とした場合、車に装備する１つの方法としてスペアタイヤのホイールの中に配置することも可能である。
【００２６】
自動車に浮輪型救命ボックス１を装備することを義務付けることができれば、備蓄品を保管する倉庫等を用意しなくても、全国に多数の備蓄品を確保することが可能となる。特に、前記浮輪型救命ボックス１を自動車の標準装備として導入してもらうことができれば、自動車の購入者は自動車を購入する際に費用の負担をほとんど感じることなく備蓄品を確保することが可能となる。また、車検毎に備蓄品の確認を義務付ける、あるいは、車検時に装備することを義務付けることができるならば、３年間で全ての車に浮輪型救命ボックス１を装備することも可能となる。
【００２７】
自動車に浮輪型救命ボックス１を装備することによって、自動車事故の際に応急処置を速やかに行うことも可能となる。また、自動車で移動中あるいは外出中に地震等の災害に遭った場合にも、自宅に戻らなくても各自で備蓄品を確保することが可能となる。また、家屋が倒壊した場合でも屋外の自動車に前記浮輪型救命ボックス１が保管してあれば、備蓄品をすぐに使用できる。
【００２８】
このように、自動車に浮輪型救命ボックス１を装備することにより、様々な利点が生じるが、浮輪型救命ボックス１を自動車だけではなく、各家庭で使用する場合にも従来の袋等に備蓄品を保管した場合と比較すると、家屋等の倒壊あるいは浸水等の被害に遭った場合でも、浮輪型救命ボックス１の密閉度、強度等によって備蓄品が破損する可能性が減少する効果が期待できる。
【００２９】
前記浮輪型救命ボックス１の形状として、ドーナツ形状を用いて説明してきたが、その他に、矩形の中央に孔を設けた形状とすることも可能であり、浮輪として使用し易い形状、あるいは、自動車等に装備し易い形状等、様々な形状、例えば六角形等の形状を用いることも可能である。
【００３０】
前記浮輪型救命ボックス１は自動車に装備することによって、上述の様な様々な効果を奏するが、自動車以外にも、例えば、船、鉄道等に装備することも可能であり、各家庭、各オフィスで保管することも可能であり、自動車に限定することなく、様々な用途が考えられる。
【００３１】
このように、本発明の浮輪型救命ボックス１を様々な形で普及させることができるならば、新たな倉庫等を用意することなく、全国に備蓄品の保管場所を確保することができ、また、災害や事故の際に速やかに備蓄品を使用することが可能となり、人命救助にも役立たせることができる。
【符号の説明】
【００３２】
１    浮輪型救命ボックス
２    本体
３    蓋
４    ヒンジ
５    ロック手段
６    防水密閉パッキン
７    減圧弁
８    貫通孔
９    空間
１０，１１  リブ  
１２  リングロープ
１３  固定具
１４  アルミの袋
【図１】
2013169962.tif 000003
【図２】
2013169962.tif 000004
【図３】
2013169962.tif 000005